(57)【要約】【課題】低温環境下においても装置を安定して起動できるようにする。【解決手段】第１のバッテリ２１と、第１のバッテリ２１よりも熱容量が小さい第２のバッテリ２２と、第１のバッテリ２１と第２のバッテリ２２との間で、電子部品１０に対する電力供給源を切り替えるスイッチ２６と、装置起動プロセスにおける前記電子部品１０に対する電力供給源を前記第２のバッテリ２２とするようにスイッチ２６を設定する第１制御部とを備える。【選択図】図１
2017163792.tif 000002
【特許請求の範囲】
【請求項１】
第１のバッテリと、
前記第１のバッテリよりも熱容量が小さい第２のバッテリと、
前記第１のバッテリと前記第２のバッテリとの間で、電子部品に対する電力供給源を切り替えるスイッチと、
装置起動プロセスにおける前記電子部品に対する電力供給源を前記第２のバッテリとするように前記スイッチを設定する第１制御部と
を備えることを特徴とする、バッテリ制御装置。
【請求項２】
前記第１制御部が、
装置終了プロセスにおいて、前記電子部品に対する電力供給源を前記第２のバッテリとするように前記スイッチを設定する
ことを特徴とする、請求項１記載のバッテリ制御装置。
【請求項３】
装置起動プロセス完了後に、前記電子部品に対する電力供給源を前記第１のバッテリとするように、前記スイッチを設定する第２制御部
を備えることを特徴とする、請求項１又は２記載のバッテリ制御装置。
【請求項４】
前記装置終了プロセスにおいて、前記第２のバッテリの電圧が所定の閾値未満である場合に、前記第２のバッテリを充電させる充電制御部
を備えることを特徴とする、請求項１〜３のいずれか１項に記載のバッテリ制御装置。
【請求項５】
前記第２のバッテリが発熱部品に隣接して配置される
ことを特徴とする、請求項１〜４のいずれか１項に記載のバッテリ制御装置。
【請求項６】
第１のバッテリと、
前記第１のバッテリよりも熱容量が小さい第２のバッテリと、
前記第１のバッテリと前記第２のバッテリとの間で、電子部品に対する電力供給源を切り替えるスイッチとを備える電子装置において、
装置起動プロセスにおける前記電子部品に対する電力供給源を前記第２のバッテリとするように前記スイッチを設定する処理
を備えることを特徴とする、バッテリ制御方法。
【請求項７】
第１のバッテリと、
前記第１のバッテリよりも熱容量が小さい第２のバッテリと、
前記第１のバッテリと前記第２のバッテリとの間で、電子部品に対する電力供給源を切り替えるスイッチと、
プロセッサとを備える電子装置において、
装置起動プロセスにおける前記電子部品に対する電力供給源を前記第２のバッテリとするように前記スイッチを設定する処理
を前記プロセッサに実行させる、バッテリ制御プログラム。
【発明の詳細な説明】
【技術分野】
【０００１】
本発明は、バッテリ制御装置、バッテリ制御方法およびバッテリ制御プログラムに関する。
【背景技術】
【０００２】
モバイル端末に一般的に利用される二次電池は、低温時にインピーダンスが増加するという特性を有し、低温時は常温時の数倍のインピーダンスとなる。
【０００３】
つまり、二次電池電圧が同一であっても、負荷側に供給される電圧において、低温時は常温時の数倍の電圧ドロップが生じることとなる。
【０００４】
さて、長時間電源オフ状態で放置された端末は、端末の温度（端末温度）は環境温度とほぼ同じとなり、環境温度によっては端末温度が上述した低温時の状態に該当する場合がある。このような低温状態において電源キー押下にてモバイル端末を起動させる場合に、電圧ドロップが発生し、この電圧が負荷側の動作に必要な最低電圧を下回るおそれがある。このように電圧が負荷側の動作に必要な最低電圧を下回る場合には、システムダウンが生じる。すなわち、装置を起動することができない。
【先行技術文献】
【特許文献】
【０００５】
【特許文献１】特開２０１０−３８９８１号公報
【特許文献２】特開２００２−０９５１８２号公報
【特許文献３】特開２００７−１４８０２６号公報
【特許文献４】特開２０１２−２５３９７３号公報
【発明の概要】
【発明が解決しようとする課題】
【０００６】
近年のＣＰＵ（Central Processing Unit）の処理能力向上に伴い、携帯端末における必要電流量が増加している。また、端末起動時の処理負荷も増大している。
【０００７】
これらに伴い、低温環境下において、端末起動時に電圧ドロップが許容水準を上回り、システムダウンに至ることで、装置を安定して起動させることができないという課題がある。
【０００８】
１つの側面では、本発明は、低温環境下においても装置を安定して起動できるようにすることを目的とする。
【課題を解決するための手段】
【０００９】
このため、このバッテリ制御装置は、第１のバッテリと、前記第１のバッテリよりも熱容量が小さい第２のバッテリと、前記第１のバッテリと前記第２のバッテリとの間で、電子部品に対する電力供給源を切り替えるスイッチと、装置起動プロセスにおける前記電子部品に対する電力供給源を前記第２のバッテリとするように前記スイッチを設定する第１制御部とを備える。
【発明の効果】
【００１０】
一実施形態によれば、低温環境下においても装置を安定して起動できる。
【図面の簡単な説明】
【００１１】
【図１】実施形態の一例としての情報処理装置である携帯端末のハードウェア構成を模式的に示す図である。
【図２】実施形態の一例としての携帯端末内における小バッテリの配置を例示する図である。
【図３】実施形態の一例としての携帯端末のスイッチを例示する図である。
【図４】実施形態の一例として携帯端末の機能構成を説明するための図である。
【図５】端末起動時における必要電流量の時間変化を例示する図である。
【図６】端末起動時のバッテリの温度の時間変化を示す図である。
【図７】実施形態の一例としての携帯端末における装置起動時の処理を説明するためのフローチャートである。
【図８】実施形態の一例としての携帯端末における電源オフ時の処理を説明するためのフローチャートである。
【図９】実施形態の一例としての携帯端末における小バッテリの充電制御手法を説明するためのフローチャートである。
【発明を実施するための形態】
【００１２】
以下、図面を参照して本バッテリ制御装置、バッテリ制御方法およびバッテリ制御プログラムに係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。又、各図は、図中に示す構成要素のみを備えるという趣旨ではなく、他の機能等を含むことができる。
【００１３】
（Ａ）構成
図１は実施形態の一例としての情報処理装置である携帯端末１のハードウェア構成を模式的に示す図である。
【００１４】
携帯端末１は、使用者が携行可能な情報処理装置である。携帯端末１は、図１に示すように、主制御部１０，無線部１１，記憶部１２，カメラ部１３，タッチパネル操作部１４，表示部１５，通話／オーディオ（Audio）部１６，センサ部１７，電源部１８，充電コネクタ部１９，電源キー２０，大バッテリ２１，小バッテリ２２，レシーバ／スピーカ２３，マイク２４，アンテナ２５およびスイッチ２６を備える。
【００１５】
無線部１１は、アンテナ２５を介して、図示しない基地局等と無線通信を行なう。カメラ部１３は、動画像や静止画像を撮影するための撮像装置である。
【００１６】
表示部１５は、例えば、液晶ディスプレイ等の表示装置である。タッチパネル操作部１４は、例えば、タッチパッドのような位置入力装置である。本携帯端末１においては、これらの表示部１５とタッチパネル操作部１４としての機能を一体に構成したタッチパネルとして備えられている。
【００１７】
レシーバ／スピーカ２３は電気信号を音声として出力する音声出力装置である。マイク２４は音声を電気信号に変換して入力する音声入力装置である。
【００１８】
通話／オーディオ部１６は、これらのレシーバ／スピーカ２３およびマイク２４を制御することで、通話や音声の入出力を制御する。
【００１９】
センサ部１７は、例えば、図示しない、加速度センサや温度センサ等の各種センサを制御する。
【００２０】
充電コネクタ部１９は、電源部１８に外部から電力供給を行なうためのコネクタであり、例えば、ＵＳＢ（Universal Serial Bus）コネクタである。
【００２１】
電源キー２０は、本携帯端末１を起動させるための指示（信号）を入力するための入力スイッチである。操作者がこの電源キー２０を押下する等の入力操作を行なうことで、電源部１８から本携帯端末１の各部への電力供給が行なわれ、起動プロセスが開始される。
【００２２】
大バッテリ２１および小バッテリ２２は、電力を出力する電力源であり、充電可能な二次電池（充電式電池）である。二次電池は、放電した電池に電気エネルギーを与える、すなわち、充電することで、元の状態に戻る「可逆的反応」を実現できる物質が充填されている。
【００２３】
本携帯端末１には、大バッテリ（第１のバッテリ）２１と小バッテリ（第２のバッテリ）２１との２つの二次電池が備えられている。
【００２４】
大バッテリ２１は、本携帯端末１の起動プロセスの完了後において、主制御部１０等の各部に電力を供給する。大バッテリ２１は、携帯端末１の運用時において、図１に例示した、主制御部１０，無線部１１，記憶部１２，カメラ部１３，タッチパネル操作部１４，表示部１５，通話／オーディオ（Audio）部１６，センサ部１７，電源部１８，充電コネクタ部１９，電源キー２０，レシーバ／スピーカ２３，マイク２４およびアンテナ２５のそれぞれが安定して動作可能な電力を供給できる容量を有する。
【００２５】
小バッテリ２２は、本携帯端末１の起動時に必要な電流量（例えば、100mAh程度）を供給可能な容量を有する。小バッテリ２２は大バッテリ２１よりも物理サイズが小さく、大バッテリ２１よりも熱容量が小さい。これにより、小バッテリ２２の温度は大バッテリ２１に比べて上昇し易く、短時間で温まる。例えば、本携帯端末１を極低温環境下で起動させた場合においても、装置起動開始後直ぐに、この小バッテリ２２の温度が上昇して低温状態を脱することができる。すなわち、小バッテリ２２においては、極低温環境によるインピーダンス低下を回避することができる。
【００２６】
ここで、スマートフォン等のモバイル端末の起動時に必要な電流量は端末によりほぼ決まっている。また、図５を用いて後述する如く、装置起動時の電流脈動は、起動初期、すなわち、ＯＳ（Operating System）起動前において低負荷であり、起動中盤以降、すなわち、ＯＳ起動開始後は高負荷になるという傾向がある。
【００２７】
そこで、本携帯端末１においては、装置起動処理期間（すなわち、ＯＳ起動前の起動初期およびＯＳ起動開始後の起動中盤以降）において小バッテリ２２を用いて電力供給が行なわれる。
【００２８】
小バッテリ２２は、本携帯端末１の起動に必要な電流量を担保するだけの電源容量を有するよう構成されており、体積が小さい。そのため、小バッテリ２２は配置の自由度が高い。そこで、本携帯端末１においては、小バッテリ２２は、起動時の発熱源である主制御部１０に隣接して配置される。
【００２９】
図２は実施形態の一例としての携帯端末１内における小バッテリ２２の配置を例示する図である。
【００３０】
この図２に示す例おいては、便宜上、携帯端末１内に備えられた、基板２７，大バッテリ２１，小バッテリ２２および主制御部１０のみを図示している。
【００３１】
図２に示す例においては、携帯端末１の下方に大バッテリ２１が配置されるとともに、上方に基板２７が配置されている。
【００３２】
基板２７には、主制御部１０が配置され、この主制御部１０と重合するように隣接して小バッテリ２２が配置されている。これにより、主制御部１０から発生した熱が小バッテリ２２に伝導される。すなわち、小バッテリ２２が主制御部１０からの発熱により加熱される。
【００３３】
電源部１８は、大バッテリ２１や小バッテリ２２から本携帯端末１の各部へ電力供給を行なう。大バッテリ２１および小バッテリ２２のそれぞれから出力される電流は電源部１８に入力され、この電源部１８から主制御部１０等の各部に供給される。
【００３４】
また、電源部１８は、大バッテリ２１および小バッテリ２２に対する処理を行なう。電源部１８には、充電コネクタ部１９や電源キー２０が接続されており、電源部１８は、例えば、操作者が電源キー２０に対して行なう入力操作の内容（例えば、電源オン／電源オフ）を、主制御部１０に通知する。
【００３５】
本携帯端末１においては、電源キー２０の押下が装置の電源オン指示を意味し、電源キー２０を所定時間（例えば５秒）以上押下する長押しが装置の電源オフ指示を意味する。
【００３６】
また、充電コネクタ部１９にＵＳＢ等を介してＡＣ（Alternating Current）ケーブルが接続され、外部から電力供給が行なわれると、電源部１８は、この供給された電力を大バッテリ２１に入力して大バッテリ２１の充電を行なう。
【００３７】
スイッチ２６は、後述する主制御部１０（電源制御部１０１）による制御に従って、電源部１８と大バッテリ２１と小バッテリ２２との間の接続を切り替える。
【００３８】
図３は実施形態の一例としての携帯端末１のスイッチ２６を例示する図である。
【００３９】
この図３中において、符号（Ａ）は本携帯端末１の起動処理中の状態を示す。また、符号（Ｂ）は本携帯端末１の起動処理の完了後、すなわち、通常動作時の状態であって、小バッテリ２２の充電を行なっている状態を示す。また、符号（Ｃ）は通常動作時の状態であって、小バッテリ２２の充電を行なわない状態を示す。
【００４０】
図３に示すように、スイッチ２６は、複数のスイッチ要素２６１〜２６５をそなえ、これらのスイッチ要素２６１〜２６５を組み合わせることで構成されている。
【００４１】
スイッチ要素２６１〜２６５は、例えば電界効果トランジスタ（ＦＥＴ：Field effect transistor）であり、後述する主制御部１０（電源制御部１０１）が、各スイッチ要素２６１〜２６５のゲートのオン／オフを制御することで、電源部１８と大バッテリ２１と小バッテリ２２との間の接続を切り替える。
【００４２】
図３に示すように、スイッチ２６において、電源部１８と小バッテリ２２とを接続する配線上にはスイッチ要素２６５が配置され、また、電源部１８と大バッテリ２１とを接続する配線上にはスイッチ要素２６４とスイッチ要素２６１とが直列に配置されている。
【００４３】
スイッチ要素２６１の一端側には大バッテリ２１が接続されている。また、このスイッチ要素２６１の他端側にはスイッチ要素２６４を介して電源部１８が接続されるとともに、スイッチ要素２６２を介して昇圧ＤＣＤＣコンバータ２８が接続されている。
【００４４】
また、昇圧ＤＣＤＣコンバータ２８はスイッチ要素２６３を介して小バッテリ２２にも接続されている。
【００４５】
すなわち、大バッテリ２１と小バッテリ２２とを接続する配線上には、昇圧ＤＣＤＣコンバータ２８が配置されており、この昇圧ＤＣＤＣコンバータ２８と小バッテリ２２とを接続する配線上にはスイッチ要素２６３が配置されている。そして、昇圧ＤＣＤＣコンバータ２８と大バッテリ２１との間を接続する配線上にはスイッチ要素２６１，２６２が直列に配置されている。
【００４６】
このようなスイッチ２６において、図３中の符号（Ａ）に示すように、スイッチ要素２６５だけをオンにし、他のスイッチ要素２６１〜２６４をオフにすることで、電源部１８に小バッテリ２２が接続される。すなわち、主制御部１０等の各部に電源部１８を介して小バッテリ２２から電力が供給される。
【００４７】
以下、図３中の符号（Ａ）に示すように、電源部１８に小バッテリ２２が接続されている状態を第１状態という。
【００４８】
また、スイッチ２６において、図３中の符号（Ｂ）に示すように、スイッチ要素２６５だけをオフにし、他のスイッチ要素２６１〜２６４をオンにすることで、電源部１８に大バッテリ２１が接続される。すなわち、主制御部１０等の各部に電源部１８を介して大バッテリ２１から電力が供給される。
【００４９】
また、この図３中の符号（Ｂ）に示す状態においては、大バッテリ２１は昇圧ＤＣＤＣコンバータ２８を介して小バッテリ２２にも接続される。これにより小バッテリ２２は大バッテリ２１から供給される電力により充電される。
【００５０】
以下、図３中の符号（Ｂ）に示すように、電源部１８に大バッテリ２１が接続されるとともに、小バッテリ２２が充電されている状態を第２状態という。
【００５１】
また、スイッチ２６において、図３中の符号（Ｃ）に示すように、スイッチ要素２６２，２６３，２６５をオフにし、スイッチ要素２６１，２６４をオンにすることで、電源部１８に大バッテリ２１が接続される。すなわち、主制御部１０等の各部に電源部１８を介して大バッテリ２１から電力が供給される。
【００５２】
また、この図３中の符号（Ｃ）に示す状態においては、小バッテリ２２には、昇圧ＤＣＤＣコンバータ２８や大バッテリ２１は接続されておらず、これにより小バッテリ２２への充電は行なわれない。
【００５３】
以下、図３中の符号（Ｃ）に示すように、電源部１８に大バッテリ２１が接続されるとともに、小バッテリ２２が充電されていない状態を第３状態という。
【００５４】
記憶部１２は、ＲＯＭ（Read Only Memory）及びＲＡＭ（Random Access Memory）を含む記憶メモリである。記憶部１２のＲＯＭには、携帯端末１としての各種機能を実現するためのソフトウェアプログラムやこのプログラム用のデータ類が書き込まれている。このソフトウェアプログラムには、主制御部１０等、本携帯端末１を構成する各部への電力供給を制御する電力制御プログラムが含まれる。
【００５５】
記憶部１２上のソフトウェアプログラムは、主制御部１０に適宜読み込まれて実行される。又、記憶部１２のＲＡＭは、一次記憶メモリあるいはワーキングメモリとして利用される。
【００５６】
主制御部１０は、携帯端末１全体を制御するプロセッサである。主制御部１０は、マルチプロセッサであってもよい。主制御部１０は、例えばＣＰＵ，ＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、主制御部１０は、ＣＰＵ，ＭＰＵ，ＤＳＰ，ＡＳＩＣ，ＰＬＤ，ＦＰＧＡのうちの２種類以上の要素の組み合わせであってもよい。
【００５７】
また、主制御部１０には、ＧＰＵ（Graphics Processing Unit）やＨＷＣｏｒｅとしての機能も備えている。
ＨＷＣｏｒｅは、チップ内のＣＰＵやＧＰＵを除くハードウェアロジック部である。ＨＷＣｏｒｅには、例えば、表示部１５に出力する画像を処理するロジック回路や、カメラ部１３によって撮影されたカメラ画像を受け取るロジック回路、メモリコントローラや、各種入出力回路が含まれる。
【００５８】
主制御部１０は、携帯端末１に備えられた部品中において消費電力量が大きく、大バッテリ２１もしくは小バッテリ２２から電力が供給されて機能する。
【００５９】
図４は実施形態の一例として携帯端末１の機能構成を説明するための図である。
【００６０】
主制御部１０は、バッテリ制御プログラムを実行することにより、図４に示すような、電源制御部１０１（起動時用電源制御部１０２，起動後電源制御部１０３および小バッテリ充電制御部１０４）としての機能を実現する。
【００６１】
なお、この電源制御部１０１としての機能を実現するためのプログラム（バッテリ制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００６２】
電源制御部１０１としての機能を実現する際には、内部記憶装置（本実施形態では記憶部１１のＲＡＭやＲＯＭ）に格納されたプログラムがコンピュータのマイクロプロセッサ（本実施形態では主制御部１０）によって実行される。このとき、記録媒体に記録されたプログラムをコンピュータが読み取って実行するようにしてもよい。
【００６３】
電源制御部１０１は、本携帯端末１において、主制御部１０等に対する電力供給を制御するものであり、図４に示すように、起動時用電源制御部１０２，起動後電源制御部１０３および小バッテリ充電制御部１０４としての機能を有する。
【００６４】
起動時用電源制御部１０２は、本携帯端末１の電源オフ状態において電源キー２０の押下等の電源起動要因が発生した場合（以下、端末起動時という）に実行される起動プロセスにおける電力供給状態を制御する。
【００６５】
起動時用電源制御部１０２は、電源部１８に小バッテリ２２を接続することで、端末起動時に小バッテリ２２から電力供給が行なわれるようスイッチ２６を切り替える。具体的には、起動時用電源制御部１０２は、スイッチ２６のスイッチ要素２６１〜２６５を、図３中の符号（Ａ）で示す第１状態に設定する。
【００６６】
起動時用電源制御部１０２は、装置の電源オフ処理時に、上述したスイッチ２６の切り替えを行なう。これにより、次回の装置起動時に小バッテリ２２から電力供給が行なわれる。
【００６７】
すなわち、起動時用電源制御部１０２は、装置起動プロセスにおける主制御部１０等の電子部品に対する電力供給源を小バッテリ２２とするようにスイッチ（２６）を設定する第１制御部として機能する。
【００６８】
図５は端末起動時における必要電流量の時間変化を例示する図である。また、図６は端末起動時のバッテリの温度の時間変化を示す図であり、小バッテリ２２を用いて装置起動を行なった場合と、熱容量が大きい大型のバッテリを用いて装置起動を行なった場合と、のそれぞれの温度変化を示す。
【００６９】
一般的に端末起動時に必要とされる電流量は１００ｍＡｈ程度であり、前述の如く、本携帯端末１の小バッテリ２２は、１００ｍＡｈ程度の小容量として構成されている。
【００７０】
このような小容量の小バッテリ２２は、物理的サイズが小さいために熱容量が小さく、極低温環境下で起動させたとしても、起動開始直後からバッテリ自体の温度が上昇する。
【００７１】
図５に示すように、携帯端末１においては、電源キー２０が押下されてからＯＳが起動
するまでの起動初期においては、負荷が低く、必要電流量が小さい。その後、ＯＳの起動が開始してから高負荷となり（高負荷開始）、必要電流量が大きくなる。
【００７２】
ここで、熱容量が大きい大型のバッテリを用いて装置起動を行なわせた場合には、図６に示すように、この大型のバッテリは携帯端末１が高負荷動作に移行しても低温状態のままであり、インピーダンスが高いために電圧ドロップが発生しシステムダウンに至るおそれがある。
【００７３】
これに対して、小バッテリ２２は熱容量が小さいために、図６に示すように、起動初期の低負荷時に温度が上昇し、高負荷動作に移行した時には既にインピーダンスの高い低温状態を脱することができる。
従って、装置起動プロセスにおけるＯＳ起動が開始してから起動が完了するまでの期間の高負荷動作を、インピーダンスが低くなった状態の小バッテリ２２からの電力供給で安定して行なうことができる。
【００７４】
起動後電源制御部１０３は、本携帯端末１の起動プロセスが完了し、本携帯端末１が定常状態に移行した後における電力供給状態を制御する。
【００７５】
上述の如く、装置起動プロセスにおいては、起動時用電源制御部１０２により小バッテリ２２からの電力供給が行なわれる。
【００７６】
起動後電源制御部１０３は、端末起動完了後に、大バッテリ２１から電源が供給され、且つ、小バッテリ２２への充電が行なわれるようスイッチ２６を切り替える。具体的には、起動後電源制御部１０３は、装置起動時に、スイッチ２６のスイッチ要素２６１〜２６５を、図３中の符号（Ｂ）で示す第２状態に設定する。
【００７７】
これにより、大バッテリ２１から電源が供給されるとともに、装置起動プロセスにおいて電力を消費した小バッテリ２２の充電が行なわれる。小バッテリ２２の充電は、大バッテリ２１から供給される電力を、昇圧ＤＣＤＣコンバータ２８を介して小バッテリ２２に入力することにより行なわれる。
【００７８】
すなわち、起動時電源制御部１０２は、小バッテリ２２による電力供給によって行なわれた装置起動プロセス完了後に、小バッテリ２２を充電させる充電制御部（第２の充電制御部）として機能する。
【００７９】
そして、起動後電源制御部１０３は、小バッテリ２２の充電の完了後に、この小バッテリ２２の充電は行なわずに大バッテリ２１からの電源供給が行なわれるようスイッチ２６を切り替える。具体的には、起動後電源制御部１０３は、小バッテリ２２の充電完了後に、スイッチ２６のスイッチ要素２６１〜２６５を、図３中の符号（Ｃ）で示す第３状態に設定する。
【００８０】
これにより、大バッテリ２１から電源が供給され、且つ、小バッテリ２２への充電は行なわれていない状態となる。
【００８１】
すなわち、起動後電源制御部１０３は、装置起動プロセス完了後に、主制御部１０等の電子部品に対する電力供給源を大バッテリ２１とするように、スイッチ２６を設定する第２制御部として機能する。
【００８２】
小バッテリ充電制御部１０４は、小バッテリ２２の充電を制御する。小バッテリ充電制御部１０４は、通常動作時において、小バッテリ２２の電圧が所定の閾値未満となった場合に、小バッテリ２２の充電を行なわせる。
【００８３】
具体的には、小バッテリ充電制御部１０４は、スイッチ２６のスイッチ要素２６１〜２６５を、図３中の符号（Ｂ）で示す第２状態に設定する。
【００８４】
また、小バッテリ２２の充電は、大バッテリ２１から供給される電力を、昇圧ＤＣＤＣコンバータ２８を介して小バッテリ２２に入力することにより行なう。
【００８５】
本携帯端末１においては、携帯端末１の電源オン状態において、小バッテリ２２を予め充電しておく。
【００８６】
すなわち、小バッテリ充電制御部１０４は、装置終了プロセスにおいて、小バッテリ２２の電圧が所定の閾値未満である場合に、この小バッテリ２２を充電させる充電制御部（第１の充電制御部）として機能する。
【００８７】
なお、小バッテリ２２が満充電となった場合、すなわち、小バッテリ２２の電圧が所定の閾値以上となった場合に、小バッテリ２２への充電を停止させる。この際、大バッテリ２１から主制御部１０等への電力供給は維持された状態とする。
【００８８】
具体的には、小バッテリ充電制御部１０４は、小バッテリ２２が満充電となった際に、スイッチ２６のスイッチ要素２６１〜２６５を、図３中の符号（Ｃ）で示す第３状態に戻す。
【００８９】
また、小バッテリ２２の充電中において、本携帯端末１の電源オフ操作が行なわれた場合においても、小バッテリ充電制御部１０４は、小バッテリ２２の充電が完了するまでは小バッテリ２２の充電を継続して実施させる。
【００９０】
すなわち、小バッテリ充電制御部１０４は、小バッテリ２２の充電中に本携帯端末１の電源オフ操作が行なわれた場合には、小バッテリ２２の充電が完了してから、スイッチ２６を切り替えて図３中の符号（Ｃ）で示す第３状態に設定する。
【００９１】
その後、起動時用電源制御部１０２が、スイッチ２６を切り替えて、図３中の符号（Ａ）で示す第１状態に設定する。
【００９２】
これにより、本携帯端末１の電源オフ時に小バッテリ２２を確実に満充電の状態とすることができ、満充電の小バッテリ２２を電力供給源として用いることで装置起動を安定して実施することができる。
【００９３】
（Ｂ）動作
上述の如く構成された実施形態の一例としての携帯端末１における装置起動時の処理を、図７に示すフローチャート（ステップＡ１〜Ａ３）に従って説明する。
【００９４】
なお、図７中においては、フローチャートの各ステップに対応させてスイッチ２６の状態（第１状態，第３状態）を示す。
【００９５】
ステップＡ１において、起動時用電源制御部１０２は、電源キー２０が押下されたかを確認する。電源キー２０が押下されていない場合には（ステップＡ１のＮＯルート）、電源キー２０が押下されるまでステップＡ１を繰り返し行なう。
【００９６】
電源キー２０が押下されると（ステップＡ１のＹＥＳルート参照）、ステップＡ２に移行し、本携帯端末１の起動プロセスが開始される。端末起動時においては、スイッチ２６のスイッチ要素２６１〜２６５が、図３中の符号（Ａ）で示す第１状態に設定されているので、小バッテリ２２から供給される電力で主制御部１０等は起動処理を行なう。ここまでの間、スイッチ２６は第１状態である。
【００９７】
起動プロセスが完了すると、ステップＡ３において、起動後電源制御部１０３が、大バッテリ２１から電源が供給され、且つ、小バッテリ２２への充電が行なわれるようスイッチ２６を切り替える。すなわち、起動後電源制御部１０３は、スイッチ２６のスイッチ要素２６１〜２６５を、図３中の符号（Ｂ）で示す第２状態に設定する。
【００９８】
その後、小バッテリ２２の充電が完了し、小バッテリ２２の電圧が所定の閾値以上となると、起動後電源制御部１０３は、小バッテリ２２の充電は行なわずに大バッテリ２１からの電源供給が行なわれるようスイッチ２６を切り替える。すなわち、起動後電源制御部１０３は、スイッチ２６のスイッチ要素２６１〜２６５を、図３中の符号（Ｃ）で示す第３状態に設定する。
【００９９】
次に、実施形態の一例としての携帯端末１における電源オフ時の処理を、図８に示すフローチャート（ステップＢ１〜Ｂ６）に従って説明する。
【０１００】
なお、図８中においても、フローチャートの各ステップに対応させてスイッチ２６の状態（第１状態〜第３状態）を示す。
【０１０１】
本フローチャートの初期状態においては、電源部１８に大バッテリ２１が接続されるとともに、小バッテリ２２が充電されている第２状態、または、電源部１８に大バッテリ２１が接続されるとともに、小バッテリ２２が充電されていない第３状態である。
【０１０２】
ステップＢ１において、電源制御部１０１は、電源キー２０が長押しされたかを確認する。電源キー２０が長押しされていない場合には（ステップＢ１のＮＯルート）、電源キー２０の長押しが行なわれるまでステップＢ１を繰り返し行なう。
【０１０３】
電源キー２０が長押しされると（ステップＢ１のＹＥＳルート参照）、ステップＢ２に移行する。小バッテリ充電制御部１０４は、小バッテリ２２の電圧を閾値と比較する。小バッテリ２２の電圧が所定の閾値未満である場合には（ステップＢ２のＮＯルート参照）、ステップＢ３において、小バッテリ充電制御部１０４が、小バッテリ２２の充電を行なわせる。その後、ステップＢ２に戻る。
【０１０４】
小バッテリ２２の電圧が所定の閾値以上の場合には（ステップＢ２のＹＥＳルート参照）、ステップＢ４において、起動後電源制御部１０３が、スイッチ２６のスイッチ要素２６１〜２６５を、図３中の符号（Ｃ）で示す第３状態に設定する。これにより、電源の供給元が大バッテリ２１であり、且つ、小バッテリ２２への充電は行なわれていない第３状態となる。
【０１０５】
その後、ステップＢ５において主制御部１０による端末オフ処理が行なわれ、ステップＢ６において、起動時用電源制御部１０２が、スイッチ２６を、図３中の符号（Ａ）で示す第１状態に設定する。これにより、小バッテリ２２から電源が供給されるようスイッチ２６が切り替えられる。
【０１０６】
このように、端末オフ処理において、起動時用電源制御部１０２がスイッチ２６第１状態に設定することで、次回装置の起動時に、小バッテリ２２から電源が供給されることになる。その後、処理を終了する。
【０１０７】
次に、実施形態の一例としての携帯端末１における小バッテリ２２の充電制御手法を図９に示すフローチャート（ステップＣ１〜Ｃ４）に従って説明する。
【０１０８】
なお、図９中においても、フローチャートの各ステップに対応させてスイッチ２６の状態（第２状態，第３状態）を示す。
【０１０９】
ステップＣ１において、小バッテリ充電制御部１０４は、小バッテリ２２の電圧が所定の閾値以上であるかを確認する。確認の結果、小バッテリ２２の電圧が閾値未満である場合には（ステップＣ１のＮＯルート参照）、ステップＣ２において、小バッテリ充電制御部１０４が、小バッテリ２２の充電を行なわせる。
【０１１０】
その後、ステップＣ３において、タイマ（チェックタイマ）による所定時間が経過するまで計時を行なうことで、小バッテリ２２の充電を進ませる。その後、ステップＣ１に戻る。
【０１１１】
バッテリ２２の電圧が所定の閾値以上の場合には（ステップＣ１のＹＥＳルート参照）、ステップＣ４において、起動後電源制御部１０３が、スイッチ２６のスイッチ要素２６１〜２６５を、図３中の符号（Ｃ）で示す第３状態に設定する。これにより、電源の供給元が大バッテリ２１であり、且つ、小バッテリ２２への充電は行なわれていない第３状態となる。
【０１１２】
（Ｃ）効果
実施形態の一例としての携帯端末１によれば、大バッテリ２１と、端末起動に必要な電流量（例えば、１００ｍＡｈ程度）を賄うことができる程度の容量を有する小バッテリ２２との２つのバッテリを備え、装置起動処理時に小バッテリ２２を用いて電力供給を行なう。
【０１１３】
小バッテリ２２は、熱容量が小さく、給電開始後、短時間で温度が上昇するので、インピーダンスを低下させることできる。これにより、低温による高インピーダンス状態を回避することで本携帯端末１を安定して起動させることができる。
【０１１４】
装置起動完了後は、起動後電源制御部１０３が、大バッテリ２１から電源を供給するようスイッチ２６を切り替える。これにより、装置起動完了後は、主制御部１０等に大バッテリ２１から電力供給が行なわれ、消費電力量が多い主制御部１０等による処理を安定して行なうことができる。
【０１１５】
また、装置起動完了後に、起動後電源制御部１０３が、小バッテリ２２を充電させるようにスイッチ２６を切り替える。これにより、装置起動処理時に電力供給を行なうことで電力が消費された小バッテリ２２を迅速に充電することができる。電力が消費された小バッテリ２２の電力を、装置起動完了後、速やかに回復することで、その後、すぐに装置電源オフ操作が行なわれた場合に、この電源オフ処理に要する時間を短縮することができる。
【０１１６】
起動時用電源制御部１０２が、装置の電源オフ処理時に、次回の装置起動時に小バッテリ２２から電力供給が行なわれるようにスイッチ２６の切り替えを行なう。これにより、次回の装置起動時、確実に小バッテリ２２から電力供給が行なうことができる。
【０１１７】
また、小バッテリ充電制御部１０４が、小バッテリ２２の電圧が所定の閾値未満である場合に、小バッテリ２２を充電させる。これによっても、次回の装置起動時、確実に小バッテリ２２から電力供給が行なうことができる。
【０１１８】
さらに、小バッテリ充電制御部１０４が、装置の電源オフ処理時に、小バッテリ２２の電圧が所定の閾値以上であるかを確認し、小バッテリ２２の電圧が所定の閾値未満である場合に、小バッテリ２２を充電させてから、装置の電源オフ処理を行なう。これによっても、次回の装置起動時、確実に小バッテリ２２から電力供給が行なうことができる。
【０１１９】
また、小バッテリ２２は起動に必要な電流量のみ有すれば良く体積も小さいため、配置の自由度が高い。そして、小バッテリ２２を、起動時の発熱源主制御部１０と重合するように隣接して配置することにより、主制御部１０から発生した熱が小バッテリ２２に伝導される。すなわち、小バッテリ２２が主制御部１０により加熱される。これにより、装置起動に用いる小バッテリ２２において低温による高インピーダンス状態を回避することができ、本携帯端末１を安定して起動させることができる。
【０１２０】
また、小バッテリ２２の充電中において、本携帯端末１の電源オフ操作が行なわれた場合においても、小バッテリ充電制御部１０４は、小バッテリ２２の充電が完了するまでは小バッテリ２２の充電を継続して行なわせる。
【０１２１】
そして、起動後電源制御部１０３は、小バッテリ２２の充電が完了した後にスイッチ２６を第３状態に設定し、その後、起動時用電源制御部１０２がスイッチ２６を切り替えて第１状態に設定する。
【０１２２】
これにより、本携帯端末１の電源オフ時に小バッテリ２２を確実に満充電の状態とすることができ、満充電の小バッテリ２２を電力供給源として用いることで装置起動を安定して実施することができる。
【０１２３】
（Ｄ）その他
そして、本発明は上述した実施形態に限定されるものではなく、本発明の趣旨を逸脱しない範囲で種々変形して実施することができる。
【０１２４】
例えば、上述した実施形態においては、小バッテリ充電制御部１０４が、本携帯端末１の電源オフ時に、小バッテリ２２を満充電とし、起動時用電源制御部１０２がスイッチ２６を第１状態（小バッテリ２２から起動させる状態）となるように制御しているが、これに限定されるものではない。
【０１２５】
電源オフ時には、スイッチ２６を例えば第３状態（小バッテリ２２を充電しない状態）のままとしてもよい。そして、電源オン時に、大バッテリ２１付近に配置したサーミスタ（図示省略）により環境温度を低負荷な起動初期時に読み取り、環境温度が予め設定した閾値以下の温度の場合に、スイッチ２６を第１状態に切り替えて高負荷動作に移行させるように制御してもよい。これにより、装置の電源オフ時の処理を簡素化し、処理を高速化することができる。なお、環境温度の推定は、例えば、サーミスタの抵抗値を読み出すことで行なうことができる。
【０１２６】
また、上述した実施形態においては、主制御部１０が電源制御部１０１としての各機能（起動時用電源制御部１０２，起動後電源制御部１０３および小バッテリ充電制御部１０４）を実現しているが、これに限定されるものではない。例えば、電源制御部１０１の少なくとも一部の機能を、電源部１８等の主制御部１０の外部に備えてもよい。
【０１２７】
また、スイッチ２６の構成は、上述した実施形態に限定されるものではなく、種々変形して実施することができる。
また、上述した開示により本実施形態を当業者によって実施・製造することが可能である。
【０１２８】
（Ｅ）付記
（付記１）
第１のバッテリと、
前記第１のバッテリよりも熱容量が小さい第２のバッテリと、
前記第１のバッテリと前記第２のバッテリとの間で、電子部品に対する電力供給源を切り替えるスイッチと、
装置起動プロセスにおける前記電子部品に対する電力供給源を前記第２のバッテリとするように前記スイッチを設定する第１制御部と
を備えることを特徴とする、バッテリ制御装置。
【０１２９】
（付記２）
前記第１制御部が、
装置終了プロセスにおいて、前記電子部品に対する電力供給源を前記第２のバッテリとするように前記スイッチを設定する
ことを特徴とする、付記１記載のバッテリ制御装置。
【０１３０】
（付記３）
装置起動プロセス完了後に、前記電子部品に対する電力供給源を前記第１のバッテリとするように、前記スイッチを設定する第２制御部
を備えることを特徴とする、付記１又は２記載のバッテリ制御装置。
【０１３１】
（付記４）
前記装置終了プロセスにおいて、前記第２のバッテリの電圧が所定の閾値未満である場合に、前記第２のバッテリを充電させる充電制御部
を備えることを特徴とする、付記１〜３のいずれか１項に記載のバッテリ制御装置。
【０１３２】
（付記５）
前記第２のバッテリが発熱部品に隣接して配置される
ことを特徴とする、付記１〜４のいずれか１項に記載のバッテリ制御装置。
【０１３３】
（付記６）
第１のバッテリと、
前記第１のバッテリよりも熱容量が小さい第２のバッテリと、
前記第１のバッテリと前記第２のバッテリとの間で、電子部品に対する電力供給源を切り替えるスイッチとを備える電子装置において、
装置起動プロセスにおける前記電子部品に対する電力供給源を前記第２のバッテリとするように前記スイッチを設定する処理
を備えることを特徴とする、バッテリ制御方法。
【０１３４】
（付記７）
装置終了プロセスにおいて、前記電子部品に対する電力供給源を前記第２のバッテリとするように前記スイッチを設定する処理
を備えることを特徴とする、付記６記載のバッテリ制御方法。
【０１３５】
（付記８）
装置起動プロセス完了後に、前記電子部品に対する電力供給源を前記第１のバッテリとするように、前記スイッチを設定する処理
を備えることを特徴とする、付記６又は７記載のバッテリ制御方法。
【０１３６】
（付記９）
前記装置終了プロセスにおいて、前記第２のバッテリの電圧が所定の閾値未満である場合に、前記第２のバッテリを充電させる処理
を備えることを特徴とする、付記６〜８のいずれか１項に記載のバッテリ制御方法。
【０１３７】
（付記１０）
前記第２のバッテリが発熱部品に隣接して配置される
ことを特徴とする、付記６〜９のいずれか１項に記載のバッテリ制御方法。
【０１３８】
（付記１１）
第１のバッテリと、
前記第１のバッテリよりも熱容量が小さい第２のバッテリと、
前記第１のバッテリと前記第２のバッテリとの間で、電子部品に対する電力供給源を切り替えるスイッチと、
プロセッサとを備える電子装置において、
装置起動プロセスにおける前記電子部品に対する電力供給源を前記第２のバッテリとするように前記スイッチを設定する処理
を前記プロセッサに実行させる、バッテリ制御プログラム。
【０１３９】
（付記１２）
装置終了プロセスにおいて、前記電子部品に対する電力供給源を前記第２のバッテリとするように前記スイッチを設定する処理
を前記プロセッサに実行させる、付記１１記載のバッテリ制御プログラム。
【０１４０】
（付記１３）
装置起動プロセス完了後に、前記電子部品に対する電力供給源を前記第１のバッテリとするように、前記スイッチを設定する処理
を前記プロセッサに実行させる、付記１１又は１２記載のバッテリ制御プログラム。
【０１４１】
（付記１４）
前記装置終了プロセスにおいて、前記第２のバッテリの電圧が所定の閾値未満である場合に、前記第２のバッテリを充電させる処理
を前記プロセッサに実行させる、付記１１〜１３のいずれか１項に記載のバッテリ制御プログラム。
【０１４２】
（付記１５）
前記第２のバッテリが発熱部品に隣接して配置される
ことを特徴とする、付記１１〜１４のいずれか１項に記載のバッテリ制御プログラム。
【符号の説明】
【０１４３】
１    携帯端末
１０    主制御部
１１    無線部
１２    記憶部
１３    カメラ部
１４    タッチパネル操作部
１５    表示部
１６    通話／オーディオ部
１７    センサ部
１８    電源部
１９    充電コネクタ部
２０    電源キー
２１    大バッテリ
２２    小バッテリ
２３    レシーバ／スピーカ
２４    マイク
２５    アンテナ
２６    スイッチ
２６１〜２６５    スイッチ要素
２７    基板
２８    昇圧ＤＣＤＣコンバータ
１０１    電源制御部
１０２    起動時用電源制御部
１０３    起動後電源制御部
１０４    小バッテリ充電制御部
【図１】
2017163792.tif 000003
【図２】
2017163792.tif 000004
【図３】
2017163792.tif 000005
【図４】
2017163792.tif 000006
【図５】
2017163792.tif 000007
【図６】
2017163792.tif 000008
【図７】
2017163792.tif 000009
【図８】
2017163792.tif 000010
【図９】
2017163792.tif 000011